(57)【特許請求の範囲】
【請求項１】
シート材を給送する給送ローラと、該給送ローラを支持する給送ローラ軸と、該給送ローラ軸を軸支すると共に、給送されるシート材が前記給送ローラ軸に干渉しないようにガイドするためのガイド部材とを有する給送ユニットを、ユニット保持部に着脱自在に装着してなるシート給送装置であって、
前記ユニット保持部に設けられ、前記給送ローラ軸に回転力を伝達しつつ前記給送ローラ軸を着脱可能に支持する伝達部材と、
前記ユニット保持部に設けられ、前記ガイド部材を着脱可能に支持するガイド支持部材とを有し、
前記給送ローラ軸を前記伝達部材に支持させると共に、前記ガイド部材が前記給送ローラ軸を軸支した状態で前記ガイド部材を前記ガイド支持部材に支持させることで、前記給送ユニットが前記ユニット保持部に装着されるように構成されたことを特徴とするシート給送装置。
【請求項２】
前記ガイド支持部材は前記ガイド部材を回動自在に支持可能に構成され、前記ガイド部材が、前記ガイド支持部材に回動自在に支持され且つ前記給送されるシート材をガイドできる姿勢になったとき、前記給送ユニットの前記ユニット保持部への装着が完了するように構成されたことを特徴とする請求項１記載のシート給送装置。
【請求項３】
前記ガイド部材を、前記ガイド支持部材に回動自在に支持させた状態で所定回動位置に位置させることで、前記ガイド部材が、前記給送されるシート材をガイドできる姿勢になることを特徴とする請求項２記載のシート給送装置。
【請求項４】
前記ガイド部材を、前記ガイド支持部材に支持された状態でロックするためのロック機構が設けられたことを特徴とする請求項１〜３のいずれか１項に記載のシート給送装置。
【請求項５】
前記ガイド部材は係合部を有すると共に、前記ガイド支持部材は前記係合部に係合可能な係合対応部を有し、前記係合部と前記係合対応部とを係合させることで前記ガイド部材が前記ガイド支持部材に回動自在に支持されるように構成され、前記係合部と前記係合対応部とが係合し、且つ前記ガイド部材が前記給送されるシート材をガイドできる姿勢では、前記係合部と前記係合対応部との係合解除が不能となる一方、前記ガイド部材が前記給送されるシート材をガイドできる姿勢とは回動方向の位置が異なる所定の姿勢では、前記係合部と前記係合対応部との係合／係合解除が可能なように構成されたことを特徴とする請求項１〜３のいずれか１項に記載のシート給送装置。
【請求項６】
前記係合部及び前記係合対応部の一方は、その断面が、円形の外郭から少なくとも一部を切り欠いた形状をした軸部であり、前記係合部及び前記係合対応部の他方は、その断面が、円形の穴の一部を切り欠いた形状をした軸受け部であることを特徴とする請求項５記載のシート給送装置。
【請求項７】
前記給送ローラ軸は、その一端部が前記伝達部材に支持可能に構成される一方、その他端部が前記ガイド部材に軸支され、前記給送ユニットを前記ユニット保持部に対して装着する際には、前記給送ローラ軸の前記一端部を前記給送ローラ軸の軸方向に移動させて前記伝達部材に支持させた後に、前記ガイド部材の前記他端部を前記給送ローラ軸の軸方向に直交する方向に移動させて前記ガイド支持部材に支持させることで、前記給送ユニットが前記ユニット保持部に装着されるように構成されたことを特徴とする請求項１〜６のいずれか１項に記載のシート給送装置。
【請求項８】
上記請求項１〜７のいずれか１項に記載のシート給送装置を備えたことを特徴とする画像読取装置。
【発明の詳細な説明】
【技術分野】
【０００１】
本発明は、ローラを用いてシート材の給送を行うシート給送装置及び画像読取装置に関する。
【背景技術】
【０００２】
従来、ローラを用いてシート材の給送を行うシート給送装置、あるいは該シート給送装置を備えた画像読取装置が知られている。
【０００３】
図７、図８は、従来の画像読取装置の斜視図である。この画像読取装置１００は、フラットベッドスキャナ部３０の上にシートスルースキャナ部３１が配設されてなる。シートスルースキャナ部３１は、給紙トレイ１を有し、図８に示すように、フラットベッドスキャナ部３０に対して開閉可能に構成される。シートスルースキャナ部３１で原稿を読み取る場合は、給紙トレイ１に原稿をセットする。一方、フラットベッドスキャナ部３０で原稿を読み取る場合は、フラットベッドスキャナ部３０に設けられた原稿台ガラス１８の上に原稿をセットする。
【０００４】
図９は、画像読取装置１００の断面図である。図１０は、シートスルースキャナ部３１の給紙部の斜視図である。給紙部は、給紙ローラユニット１２５がユニット保持部材１４０に取り付けられてなり（図１０参照）、カバー６内に配設される（図９参照）。カバー６は回転中心２２を中心に開閉自在である。
【０００５】
図１０に示すように、給紙ローラユニット１２５には、ピックアップローラ３、給紙ローラ４、ピックアップローラ支持部材２９、給送ローラ軸（以下、単に「軸」と称する）１９及びガイド部材１２０（１２０Ａ、１２０Ｂ）等が設けられている。給紙ローラユニット１２５において、給紙ローラ４は、軸１９に支持されている。ユニット保持部材１４０の第１側部１４１には、不図示の駆動源により駆動されるギア２４が設けられる。軸１９は、その一端がギア２４と一体に回転するように連結される一方、他端が、ユニット保持部材１４０の第２側部１４２に回動自在に支持されている。
【０００６】
給紙ローラユニット１２５は軸１９を中心に回転可能である。給紙時は、ギア２４を介して軸１９を駆動して給紙ローラ４を回転させると、不図示の伝達機構によりピックアップローラ３も回転する。さらに、ピックアップローラ支持部材２９が不図示のトルクリミッタ機構を介して回転することで、ピックアップローラ３が、給紙トレイ１に積載された原稿２（図９参照）に接触し、原稿２がピックアップされる。
【０００７】
その後、給紙ローラ４は原稿２を給紙するが、給紙された原稿２が２枚以上重なっている場合は、給紙ローラ４に一定圧で押さえつけられている分離パット５によって分離される。近年の製品の小型化のため、給紙ローラ４の外径が小さくなっていることから、軸１９が原稿搬送路に接近している。そのため、そのままでは、搬送された原稿２の先端が軸１９に引っ掛かかり原稿２が破損するおそれがある。そこで、原稿２が軸１９に干渉しないように原稿２をガイドするために、ガイド部材１２０が設けられている。
【０００８】
図９に示すように、フラットベッドスキャナ部３０には光学ユニット１４が備えられる。光学ユニット１４は、読取センサ１５、レンズ１６、光源１７を有する。搬送ローラ７によって搬送された原稿２は、圧板８によって読取ガラス１１に押圧される。光学ユニット１４の光源１７によって照射された原稿２からの反射光は、不図示のミラー及びレンズ１６を介して読取センサ１５によって読み取られる。その後、原稿２は排紙ローラ１０によって排紙され、排紙トレイ２１に積載される。紙詰まりが発生した場合は、回転中心２２を中心にカバー６を開き、搬送路に詰まった原稿２を取り除くことができる。フラットベッドスキャナ部３０で原稿２を読み取る場合は、光学ユニット１４が図示矢印方向に移動し、原稿台ガラス１８にセットされた原稿２の画像を読み取る。
【０００９】
ここで、紙搬送のための給紙ローラ４やピックアップローラ３は、磨耗や汚れにより次第に劣化するため、これらの交換が必要となる。上記構成においてローラ交換をするためには、不図示の外装カバーを外す、ギア２４を取り外す、不図示のＥリングを取り外す等の必要があり、ユーザにとって交換作業は容易でない。
【００１０】
ところで、下記特許文献１に示されるように、ローラ交換を想定した構成のシート給送装置も知られている。この装置では、従来の給紙ローラ軸に相当するものを、給紙ローラと一体のローラ支持軸と、このローラ支持軸に回転力を伝達する軸とに分割して構成する。さらに、スライド自在の軸継手により両軸を連結する。これにより、給紙ローラの交換時に、軸継手をスライドさせローラ支持軸及びこれと一体の給紙ローラのみを装置外に取り外すことで、給紙ローラの交換ができるようになっている。
【特許文献１】特許３３１１０４９号公報
【発明の開示】
【発明が解決しようとする課題】
【００１１】
しかしながら、仮に、上記特許文献１のシート給送装置の構成を採用して、図１０に示すような給紙ローラユニットを着脱可能に構成するには、部品点数が多くなる。すなわち、軸継手、軸継手を止める止め部材、軸継手を保持する軸継手軸受け、軸継手軸受けを保持するための支持部材を設けなければならず、構成が複雑化する。また、支持部材の配置によっては、製品が大きくなったり、給紙ローラが取り外しにくくなったりするおそれもある。
【００１２】
本発明は上記従来技術の問題を解決するためになされたものであり、その目的は、シート材をガイドするガイド部材を有する給送ユニットの着脱機構を少ない部品点数で構成すると共に、給送ユニットの交換を容易にすることができるシート給送装置及び画像読取装置を提供することにある。
【課題を解決するための手段】
【００１３】
上記目的を達成するために本発明の請求項１のシート給送装置は、シート材を給送する給送ローラと、該給送ローラを支持する給送ローラ軸と、該給送ローラ軸を軸支すると共に、給送されるシート材が前記給送ローラ軸に干渉しないようにガイドするためのガイド部材とを有する給送ユニットを、ユニット保持部に着脱自在に装着してなるシート給送装置であって、前記ユニット保持部に設けられ、前記給送ローラ軸に回転力を伝達しつつ前記給送ローラ軸を着脱可能に支持する伝達部材と、前記ユニット保持部に設けられ、前記ガイド部材を着脱可能に支持するガイド支持部材とを有し、前記給送ローラ軸を前記伝達部材に支持させると共に、前記ガイド部材が前記給送ローラ軸を軸支した状態で前記ガイド部材を前記ガイド支持部材に支持させることで、前記給送ユニットが前記ユニット保持部に装着されるように構成されたことを特徴とする。
【００１４】
上記目的を達成するために本発明の請求項８の画像読取装置は、上記請求項１〜７のいずれか１項に記載のシート給送装置を備えたことを特徴とする。
【発明の効果】
【００１５】
本発明の請求項１によれば、シート材をガイドするガイド部材を有する給送ユニットの着脱機構を少ない部品点数で構成すると共に、給送ユニットの交換を容易にすることができる。
【００１６】
請求項２によれば、給送ユニットの装着作業を容易にすることができる。
【００１７】
請求項３によれば、給送ユニットの装着作業を容易にすることができる。
【００１８】
請求項４によれば、給送ユニットの装着状態において、ガイド支持部材からのガイド部材の脱落を防止することができる。
【００１９】
請求項５によれば、給送ユニットの着脱を困難にすることなく、使用時等において、給送ユニットがユニット保持部から予期せずに外れることを抑制することができる。
【００２０】
請求項６によれば、簡単な構成でロック機能を設け、使用時等において、給送ユニットがユニット保持部から予期せずに外れることを抑制することができる。
【００２１】
請求項７によれば、給送ユニットの着脱を困難にすることなく、装着状態においては給送ローラ軸が伝達部材から外れにくいようにすることができる。
【００２２】
本発明の請求項８によれば、シート材をガイドするガイド部材を有する給送ユニットの着脱機構を少ない部品点数で構成すると共に、給送ユニットの交換を容易にすることができる。
【発明を実施するための最良の形態】
【００２３】
以下、本発明の実施の形態を図面を参照して説明する。
【００２４】
（第１の実施の形態）
図１は、本発明の第１の実施の形態に係るシート給送装置の給紙部の斜視図である。本実施の形態のシート給送装置が適用される画像読取装置１００は、図７〜図１０で説明した従来の画像読取装置に比し、給紙ローラユニットの構成、ユニット保持部材の構成、給紙ローラユニットのユニット保持部材に対する着脱機構の構成が異なる。従って、給紙ローラユニット１２５、ユニット保持部材１４０に代えて、給紙ローラユニット（給送ユニット）２５、ユニット保持部材（ユニット保持部）４０が採用される。その他の構成は、上記従来の画像読取装置と同様であり、斜視図は図７、図８に示す通りである。
【００２５】
また、断面図については、給紙ローラユニット１２５に代えて給紙ローラユニット２５を設ける点以外は図９に示す通りである。「シート給送装置」には、シートスルースキャナ部３１（図７、図８参照）が相当する。シートスルースキャナ部３１の給紙部については、図１０に代えて図１を用いて説明する。また、図１〜図５において、上記従来の画像読取装置のものと同様の構成要素には、同一符号を付して、その説明を省略する。
【００２６】
図１は、給紙ローラユニット２５がユニット保持部材４０に装着される前の状態を示している。同図に示すように、給紙ローラユニット２５には、ピックアップローラ３、給紙ローラ（給送ローラ）４、ピックアップローラ支持部材２９、軸１９、ガイド部材２０、ガイド部材２７が設けられている。給紙ローラ４は軸１９に支持される。
【００２７】
ガイド部材２０及びピックアップローラ支持部材２９は軸１９に設けられている。ガイド部材２０及びピックアップローラ支持部材２９は、相互に不図示の係合部で連結されて、一緒に回転するようになっている。ガイド部材２０はガイド部材１２０Ａ（図１０参照）に対応し、軸１９の一端部である取付部１９ａ側に配置される。ガイド部材２７は、ガイド部材１２０Ｂ（図１０参照）に対応し、軸１９の他端部１９ｂ側において軸１９に対して回転自在に設けられている。ガイド部材２７は、搬送された原稿２の先端が軸１９に引っ掛かからないように、ガイド部材２０と共に、原稿２をガイドする。軸１９の取付部１９ａには、ピン３４が、軸１９に直交する方向（上下方向）に圧入されている。
【００２８】
ユニット保持部材４０の第１側部４１には、上記ギア２４（図１０参照）に対応する「伝達部材」としてのギア２８が設けられる。ギア２８には支持部２８ａが設けられ、支持部２８ａは、第１側部４１の内側（第２側部４２側）に突出している。ギア２８は、不図示の駆動源により回転駆動される。また、第２側部４２の内側（第１側部４１側）には、ガイド部材２７を支持するための「ガイド支持部材」としての支持部材２６が一体に形成、または別体で固定されている。
【００２９】
図２は、ギア２８と軸１９とが連結される部分の断面図である。ギア２８の支持部２８ａには、軸１９の取付部１９ａが挿抜可能な挿入穴２８ａａが、ユニット保持部材４０の長手方向（図２の左右方向）に沿って形成されている。また、支持部２８ａは、上下方向にすり割り状に欠切されており、これにより、ピン３４と係合するためのピン受け部２８ａｂが形成されている。
【００３０】
ピン３４とピン受け部２８ａｂとの位置を合わせつつ、同図に示す矢印方向に、軸１９の取付部１９ａをギア２８の支持部２８ａに挿し込むと、ピン３４がピン受け部２８ａｂと係合する。これにより、軸１９の一端部である取付部１９ａがギア２８に支持されると共に、ギア２８の回転駆動力が、ピン３４及びピン受け部２８ａｂを介して軸１９に伝達される。
【００３１】
図３（ａ）〜（ｃ）は、ガイド部材２７と支持部材２６とが連結される部分の斜視図である。同図（ａ）は、ガイド部材２７の支持部材２６への取り付け前の状態、同図（ｂ）は仮取り付け状態、同図（ｃ）は取り付け完了状態を、それぞれ示す。
【００３２】
図１、図３（ａ）に示すように、ガイド部材２７の、ピックアップローラ支持部材２９に対向しない側の端部には、軸１９に直交する方向に延設される延設部２７ｂが一体に形成、または別体で固定されている。延設部２７ｂの外側（ピックアップローラ支持部材２９の反対側）において軸１９の軸中心位置には、「係合部」としての取付部２７ａが突設形成されている。取付部２７ａは、図３（ａ）に示すように、軸１９の他端部１９ｂが挿入嵌合される穴を有する筒状に形成される。取付部２７ａには、延設部２７ｂの長手方向に平行で且つ軸１９の軸線に平行な２つの切欠部２７ａａ（２箇所に設けたＤカット）が形成されている。すなわち、取付部２７ａは、軸１９の軸方向からみて、円形の外郭から２箇所を切り欠いてなる形状を有している。
【００３３】
一方、支持部材２６には、取付部２７ａと係合する「係合対応部」としての穴２６ａが形成されている。穴２６ａは、軸１９の軸方向からみて、円形の穴の一部を切り欠いた形状をしており、該切り欠かれた欠切開口部２６ｂには、穴２６ａから離間するほど拡開したガイド面２６ｃが連接形成されている。穴２６ａの内径相当部分は、取付部２７ａの外径相当部分に嵌合的な寸法となっている。また、欠切開口部２６ｂの間隔（幅）は、取付部２７ａの２つの切欠部２７ａａ間の寸法より僅かに大きく、且つ、取付部２７ａの円弧部分の外径よりも小さい。
【００３４】
従って、図３（ａ）に示すように、２つの切欠部２７ａａを、欠切開口部２６ｂを構成する両対向面に対して平行にすれば、取付部２７ａが欠切開口部２６ｂ間を通過可能となるが、平行でなく直交に近い場合は、通過が阻止される。ガイド面２６ｃは、取付部２７ａを欠切開口部２６ｂ間に案内する機能を果たし、取付部２７ａと穴２６ａとの円滑な係合が可能となっている。取付部２７ａは、穴２６ａに嵌合した状態では、穴２６ａに対して回転自在となる。
【００３５】
かかる構成において、給紙ローラユニット２５のユニット保持部材４０への装着は次のようにしてなされる。
【００３６】
図４は、給紙ローラユニット２５のユニット保持部材４０への装着途中の状態を示す給紙部の斜視図である。図５は、給紙ローラユニット２５のユニット保持部材４０への仮装着状態（一応の支持がなされた状態）を示す給紙部の斜視図である。図４、図５は、図３（ａ）、（ｂ）に対応している。
【００３７】
まず、予め、軸１９にガイド部材２７を取り付けておく。そして、図２、図４に示すように、軸１９の取付部１９ａを、軸１９のほぼ軸中心に沿う方向に動かし、ギア２８の支持部２８ａに挿し込む。その際、軸１９の図４に示す程度の傾きがあっても、取付部１９ａを支持部２８ａに挿入することが可能となっている。これは、取付部１９ａと挿入穴２８ａａとの寸法関係、または、ギア２８の、第１側部１４１に対する浮動的支持等によって実現可能となる。
【００３８】
次に、図３（ａ）、図４に示すように、ガイド部材２７の軸１９に対する回動位置を、ガイド部材２７の延設部２７ｂが支持部材２６の反対方向（上方）に向くような回動位置とする。このとき、取付部２７ａの２つの切欠部２７ａａは、支持部材２６の欠切開口部２６ｂを構成する両対向面に対して平行となっている。この姿勢のまま、図３（ａ）、図４に示す矢印方向にガイド部材２７を落とし込むように移動させる。すると、取付部２７ａが、欠切開口部２６ｂ間を通過し、取付部２７ａが穴２６ａに係合状態となる（図３（ｂ）、図５参照）。
【００３９】
次に、ガイド部材２７を、支持部材２６に対して図５に示す矢印の方向（軸１９の他端部１９ｂ側からみて時計方向）に約９０°回転させる。ガイド部材２７は、軸１９に対して回動自在であるから、結局、ガイド部材２７だけが単独で回転移動することになる。すると、図３（ｃ）に示すように、取付部２７ａの切欠部２７ａａの１つがガイド面２６ｃの方向（上方）を向き、欠切開口部２６ｂを構成する対向面とは略直交する。従って、切欠部２７ａａ、穴２６ａ、欠切開口部２６ｂが「ロック機構」の機能を果たし、取付部２７ａは、穴２６ａから抜けない「ロック状態」となる。しかも、ガイド部材２７の回転方向の位置が変化したことで、ガイド部材２７のうち原稿２のガイド機能を果たす部分であるガイド部２７ｃが、原稿２をガイドできる位置にくる。
【００４０】
このようにして、給紙ローラユニット２５のユニット保持部材４０への装着が完了する。ガイド部材２７が原稿２をガイドできる姿勢となった状態では、取付部２７ａは支持部材２６に支持されながら軸１９を回動自在に支持するため、軸１９が回転してもガイド部材２７の姿勢は変わることがない。また、軸１９のガイド部材２７による軸支、及び、取付部２７ａの穴２６ａによる軸支によって、軸１９の回転中心が、給紙ローラユニット２５の装着と同時に自動的に精度良く位置決めされる。
【００４１】
一方、給紙ローラユニット２５の取り外しは、装着とは反対の行程によってなされる。すなわち、ガイド部材２７を図３（ｂ）に示す回転位置まで回転させてから、取付部２７ａを穴２６ａから抜く。その後、軸１９の取付部１９ａをギア２８の挿入穴２８ａａ（図２参照）から抜く。
【００４２】
本実施の形態によれば、軸１９の取付部１９ａをギア２８の支持部２８ａに支持させると共に、軸１９を回動自在に支持するガイド部材２７を支持部材２６の穴２６ａに支持させることで、給紙ローラユニット２５のユニット保持部材４０への装着がなされる。すなわち、給紙ローラユニット２５を、ユニット保持部材４０に対して着脱自在に構成するに際し、必須部品であるガイド部材２７を介在させて、軸１９を支持部材２６に対して実質的に支持させる構成とした。しかも、着脱機構の一部をガイド部材２７と支持部材２６との間に持たせた。これらにより、給紙ローラユニット２５の着脱機構を少ない部品点数で構成すると共に、給紙ローラユニット２５、乃至、ピックアップローラ３及び給紙ローラ４の交換を容易にすることができる。特に、給紙ローラ４の外径が小さいために、原稿２が軸１９に引っ掛かからないようにガイドするガイド部材２７を設けたシート給送装置において、部品点数増加や構成の複雑化を極力抑制しつつ、交換作業を容易にすることができる。
【００４３】
また、取付部２７ａを穴２６ａに係合させた状態で、ガイド部材２７を所定回動位置（図３（ｃ）参照）に位置させることで、ガイド部材２７が、給送される原稿２をガイドできる姿勢になり、且つ、給紙ローラユニット２５の装着が完了する。すなわち、取付部２７ａには切欠部２７ａａが設けられ、所定の回転位置とした状態でのみ、取付部２７ａの穴２６ａに対する係合／係合解除が可能である。しかも、ガイド部材２７が原稿２をガイドできる姿勢となった状態では、取付部２７ａが穴２６ａから抜けないロック状態となる。さらには、軸１９の取付部１９ａはギア２８の支持部２８ａに、軸１９の軸方向に挿入されているので、取付部２７ａを穴２６ａから外さない限り、取付部１９ａは支持部２８ａから抜けることがない。
【００４４】
これらにより、給紙ローラユニット２５の装着は、軸１９の取付部１９ａをギア２８の支持部２８ａに係合させた後の、取付部２７ａの穴２６ａへの係合と、その後のガイド部材２７の回転操作という作業で完了する。従って、給紙ローラユニット２５のユニット保持部材４０への装着作業が容易である。よって、給紙ローラユニット２５の着脱作業を困難にすることなく、画像読取装置１００の使用時等において、取付部２７ａが穴２６ａから抜けにくくして、給紙ローラユニット２５がユニット保持部材４０から予期せずに外れることを抑制することができる。
【００４５】
また、取付部２７ａに形成した切欠部２７ａａと、穴２６ａに形成した欠切開口部２６ｂとで、ロック機能を構成したので、給紙ローラユニット２５の脱落防止機構の構成が簡単である。
【００４６】
なお、取付部２７ａには、切欠部２７ａａを２つ形成したが、これに限るものではなく、切欠部２７ａａの数は２つに限定されない。例えば、切欠部２７ａａを１つ形成して、いわゆるＤカット形状としてもよい。その場合は、穴２６ａにおける欠切開口部２６ｂの形状、間隔も、それに合わせて設定すればよい。また、取付部２７ａは筒状の軸部でなくてもよく、柱形状であってもよい。
【００４７】
なお、取付部２７ａは軸部、穴２６ａは軸受け部として構成したが、両者の関係をこれとは逆としてもよい。すなわち、取付部２７ａに、欠切開口部を有する軸受け穴を設けると共に、支持部材２６に、切り欠き付きの軸部を設けてもよい。
【００４８】
（第２の実施の形態）
図６（ａ）、（ｂ）は、本発明の第２の実施の形態に係るシート給送装置の給紙部の部分斜視図である。図６（ａ）、（ｂ）は、図４、図５にそれぞれ対応している。
【００４９】
本実施の形態では、第１の実施の形態に対して、ガイド部材の構成と、ユニット保持部材４０における、ガイド部材を支持するための支持部材の構成とが異なる。その他の構成は第１の実施の形態と同様である。
【００５０】
本第２の実施の形態においては、ガイド部材３３は、軸１９の他端部１９ｂ側において軸１９に対して回転自在に設けられる点では、第１の実施の形態におけるガイド部材２７と同様である。ただし、取付部２７ａとは異なる取付部３３ａを有する。取付部３３ａは、例えば、角型形状をしている。
【００５１】
また、本実施の形態において、ユニット保持部材４０の第２側部４２の内側に設けられる支持部材３２は、第１の実施の形態における支持部材２６とは異なり、取付部３３ａが嵌合する支持部材３２の受け部内に、弾性を有するフック３２ａが突設されている。フック３２ａの先端には、内側を向いた鉤状の爪部３２ａａが一体に形成されている。
【００５２】
かかる構成において、取付部３３ａを図６（ａ）に示す矢印の方向に移動させて支持部材３２に落とし込む。すると、取付部３３ａが爪部３２ａａを越えて、図６（ｂ）に示すように、支持部材３２の受け部に取付部３３ａが嵌合する。それと共に、取付部３３ａの上端が爪部３２ａａに係止されて、簡易な抜け止め状態となる。すなわち、爪部３２ａａが「ロック機構」の機能を果たす。また、ガイド部２７ｃに相当するガイド部材３３のガイド部３３ｃは、取付部３３ａを支持部材３２に嵌合させる前段階から嵌合後まで変わらず、嵌合後において、原稿２をガイドできる位置にくるようになっている。
【００５３】
本実施の形態よれば、取付部３３ａを支持部材３２に押し込むだけの簡単な動作で、支持部材３２にガイド部材３３が固定されたロック状態となる。しかも、それと同時に、ガイド部材３３が原稿２をガイドできる姿勢になると共に、ガイド部材３３が支持部材３２から容易には外れないようになる。よって、給紙ローラユニット２５の着脱機構を少ない部品点数で構成すると共に、その交換を容易にすることに関して、第１の実施の形態と同様の効果を奏することができる。
【００５４】
また、ガイド部材３３の取付部３３ａは、支持部材３２に支持されながら軸１９を回動自在に支持する。従って、軸１９の回転中心が精度良く位置決めされる点でも、第１の実施の形態と同様の効果を奏する。
【００５５】
なお、支持部材３２にガイド部材３３をロックする部材としては、フック３２ａに限られず、樹脂や金属等の弾性部材を利用した他の構成の係止部を採用してもよい。また、取付部３３ａと支持部材３２との関係を逆にし、フック３２ａに相当する係止部を、取付部３３ａに設けてもよい。
【００５６】
なお、給紙ローラユニット２５の着脱機構を少ない部品点数で構成すると共に、その交換を容易にすることに限って言えば、第１、第２の実施の形態において、ガイド部材２７、３３を支持部材２６、３２に支持する構成は例示したものに限定されない。すなわち、必須部品であるガイド部材２７、３３を介在させて軸１９を支持部材２６、３２に対して実質的に支持させる構成であれば、他の構成を採用してもよい。
【００５７】
なお、第１、第２の実施の形態において、ガイド部材２７、３３を支持部材２６、３２から外さない限り、取付部１９ａが支持部２８ａから抜けないようにするためには、上記構成に限られない。すなわち、ガイド部材２７、３３を支持部材２６、３２に係合させる際の移動方向が、軸１９に直交する方向であればよく、係合のための構成は問わない。
【００５８】
なお、第１、第２の実施の形態において、画像読み取りの対象である原稿２は、紙に限られず、ＯＨＰ用紙等のシート材も含まれる。
【図面の簡単な説明】
【００５９】
【図１】本発明の第１の実施の形態に係るシート給送装置の給紙部の斜視図である。
【図２】ギアと軸とが連結される部分の断面図である。
【図３】ガイド部材と支持部材とが連結される部分の斜視図である（図（ａ）〜（ｃ））。
【図４】給紙ローラユニットのユニット保持部材への装着途中の状態を示す給紙部の斜視図である。
【図５】給紙ローラユニットのユニット保持部材への仮装着状態を示す給紙部の斜視図である。
【図６】本発明の第２の実施の形態に係るシート給送装置の給紙部の部分斜視図である。
【図７】従来の画像読取装置の斜視図である。
【図８】従来の画像読取装置の斜視図である。
【図９】画像読取装置の断面図である。
【図１０】シートスルースキャナ部の給紙部の斜視図である。
【符号の説明】
【００６０】
２  原稿（シート材）
３  ピックアップローラ
４  給紙ローラ（給送ローラ）
１９  軸（給送ローラ軸）
１９ａ  取付部（一端部）
１９ｂ  他端部
２５  給紙ローラユニット（給送ユニット）
２６、３２  支持部材（ガイド支持部材）
２６ａ  穴（ロック機構の一部、係合対応部）
２６ｂ  欠切開口部（ロック機構の一部）
２７、３３  ガイド部材
２７ａ  取付部（係合部）
２７ａａ  切欠部（ロック機構の一部）
２８  ギア（伝達部材）
３１  シートスルースキャナ部（シート給送装置）
３２ａ  フック（ロック機構）
４０  ユニット保持部材（ユニット保持部）
１００  画像読取装置
【図１】
0004610497.tif 000002
【図２】
0004610497.tif 000003
【図３】
0004610497.tif 000004
【図４】
0004610497.tif 000005
【図５】
0004610497.tif 000006
【図６】
0004610497.tif 000007
【図７】
0004610497.tif 000008
【図８】
0004610497.tif 000009
【図９】
0004610497.tif 000010
【図１０】
0004610497.tif 000011